(57)【要約】【課題】作業の簡素化を図り、生産性の向上を図る上で有利なプロジェクター装置を提供する。【解決手段】光源１２からの光を互いに異なる３つの波長の光に分離する分離部１４を備える。分離部１４は、ベース２４と、第１、第２ダイクロイックミラー２６、２８と、第１、第２反射ミラー３０、３２と、ミラー保持部材３４とを備えている。各ミラー保持部材３４は、ベース２４の表面２４０２上で第１、第２反射ミラー３０、３２をそれぞれ保持し、ベース２４の厚さ方向と直交する軸線Ｌ回りに回転可能にかつベース２４の表面２４０２上で移動可能に支持されている。ミラー保持部材３４に設けた２つの係合片部４０の傾斜面４００２を、調整治具５０の傾斜面５２１０に係合させ、調整治具５０を移動することにより第１、第２反射ミラー３０、３２の角度調整、位置調整を行う。【選択図】図２
2010091594.tif 000002
【特許請求の範囲】
【請求項１】
光源と、
前記光源からの光を互いに異なる３つの波長の光に分離する分離部と、
前記分離部によって分離された光のそれぞれを画像情報によって変調する３つの空間変調器とを備え、
前記分離部は、
板状のベースと、
前記光を互いに異なる２つの波長帯域に分離する複数の光分離手段と、
前記各光分離手段によって分離された光を反射する複数の反射ミラーと、
前記ベースの表面上で前記複数の反射ミラーのうちの少なくとも１つを保持し、前記ベースの厚さ方向と直交する軸線回りに回転可能にかつ前記ベースの表面上で移動可能に支持されるミラー保持部材とを備え、
前記ミラー保持部材は、
基板部と、
前記基板部から起立され前記反射ミラーが取着される起立片部と、
前記基板部の互いに間隔をおいた２箇所から前記起立片部と反対方向にそれぞれ突設された２つの係合片部とを備え、
前記ベースに、前記基板部が前記ベースに取り付けられた状態で前記２つの係合片部を前記ベースの裏面から突出させる係合片部用孔が、前記ミラー保持部材が前記ベースの表面上で移動できる大きさで設けられ、
前記係合片部用孔を通して前記裏面から突出する前記２つの係合片部の箇所に、前記基板部から離間するに従って互いの間隔が次第に接近する傾斜面が形成されている、
プロジェクター装置。
【請求項２】
前記２つの係合片部は、前記基板部の箇所で、前記起立片部に、前記起立片部が起立する方向と直交する方向である前記反射ミラーの幅方向の両端に設けられている、
請求項１記載のプロジェクター装置。
【請求項３】
前記ベースからピンが突設され、
前記基板部に前記ピンが挿通される長孔が形成され、
前記ピンが前記長孔に挿通されることで前記ミラー保持部材は前記ピンを中心として前記軸線回りに回転可能に支持される、
請求項１記載のプロジェクター装置。
【請求項４】
前記光分離手段はダイクロイックミラーである、
請求項１記載のプロジェクター装置。
【請求項５】
前記光分離手段はダイクロイックプリズムである、
請求項１記載のプロジェクター装置。
【請求項６】
光源と、
前記光源からの光を互いに異なる３つの波長の光に分離する分離部と、
前記分離部によって分離された光のそれぞれを画像情報によって変調する３つの空間変調器とを備え、
前記分離部は、
板状のベースと、
前記光を互いに異なる２つの波長帯域に分離する複数のダイクロイックミラーと、
前記ダイクロイックミラーによって分離された光を反射する複数の反射ミラーと、
前記ベースの表面上で前記複数のダイクロイックミラーおよび前記複数の反射ミラーのうちの少なくとも１つを保持し、前記ベースの厚さ方向と直交する軸線回りに回転可能にかつ前記ベースの表面上で移動可能に支持されるミラー保持部材とを備え、
前記ミラー保持部材は、
基板部と、
前記基板部から起立され前記ダイクロイックミラーまたは前記反射ミラーが取着される起立片部と、
前記基板部の互いに間隔をおいた２箇所から前記起立片部と反対方向にそれぞれ突設された２つの係合片部とを備え、
前記ベースに、前記基板部が前記ベースに取り付けられた状態で前記２つの係合片部を前記ベースの裏面から突出させる係合片部用孔が、前記ミラー保持部材が前記ベースの表面上で移動できる大きさで設けられ、
前記係合片部用孔を通して前記裏面から突出する前記２つの係合片部の箇所に、前記基板部から離間するに従って互いの間隔が次第に接近する傾斜面が形成されている、
プロジェクター装置。
【発明の詳細な説明】
【技術分野】
【０００１】
本発明はプロジェクター装置に関する。
【背景技術】
【０００２】
従来から、光源と、光源からの光を互いに異なる赤（Ｒ）、緑（Ｇ）、青（Ｂ）の３つの波長の光に分離する分離部と、分離部によって分離された光のそれぞれを画像情報によって変調する３つの空間変調器（液晶パネル）とを備えるプロジェクター装置が提供されている（特許文献１）。
このようなプロジェクター装置では、単に装置を組み上げたままの状態では、分離部を構成する部品などの成型公差に起因して光源から発した照明光（３つに分離された光）が均一に液晶パネル有効画面に照射されない場合がある。
そこで、各照明光がＲ、Ｇ、Ｂの各チャンネルの液晶パネルを均一に照射するように照明範囲の調整を行うことが必要であり、具体的には、分離部におけるＲ、Ｇ、Ｂの光学経路を形成する反射ミラーの角度を調整している。
【特許文献１】特開２００５−２７４７３４
【発明の開示】
【発明が解決しようとする課題】
【０００３】
しかしながら、従来、照明範囲の調整は、反射ミラーを保持するミラー保持部材をベースに対して手作業で位置調整することで行っているため、調整作業が煩雑となり生産性の向上を図る上で不利があった。
本発明はこのような事情に鑑みなされたものであり、その目的は作業の簡素化を図り、生産性の向上を図る上で有利なプロジェクター装置を提供することにある。
【課題を解決するための手段】
【０００４】
上述の目的を達成するため、本発明のプロジェクター装置は、光源と、前記光源からの光を互いに異なる３つの波長の光に分離する分離部と、前記分離部によって分離された光のそれぞれを画像情報によって変調する３つの空間変調器とを備え、前記分離部は、板状のベースと、前記光を互いに異なる２つの波長帯域に分離する複数の光分離手段と、前記各光分離手段によって分離された光を反射する複数の反射ミラーと、前記ベースの表面上で前記複数の反射ミラーのうちの少なくとも１つを保持し、前記ベースの厚さ方向と直交する軸線回りに回転可能にかつ前記ベースの表面上で移動可能に支持されるミラー保持部材とを備え、前記ミラー保持部材は、基板部と、前記基板部から起立され前記反射ミラーが取着される起立片部と、前記基板部の互いに間隔をおいた２箇所から前記起立片部と反対方向にそれぞれ突設された２つの係合片部とを備え、前記ベースに、前記基板部が前記ベースに取り付けられた状態で前記２つの係合片部が前記ベースの裏面から突出させる係合片部用孔が、前記ミラー保持部材を前記ベースの表面上で移動できる大きさで設けられ、前記係合片部用孔を通して前記裏面から突出する前記２つの係合片部の箇所に、前記基板部から離間するに従って互いの間隔が次第に接近する傾斜面が形成されている。
また本発明のプロジェクター装置は、光源と、前記光源からの光を互いに異なる３つの波長の光に分離する分離部と、前記分離部によって分離された光のそれぞれを画像情報によって変調する３つの空間変調器とを備え、前記分離部は、板状のベースと、前記光を互いに異なる２つの波長帯域に分離する複数のダイクロイックミラーと、前記ダイクロイックミラーによって分離された光を反射する複数の反射ミラーと、前記ベースの表面上で前記複数のダイクロイックミラーおよび前記複数の反射ミラーのうちの少なくとも１つを保持し、前記ベースの厚さ方向と直交する軸線回りに回転可能にかつ前記ベースの表面上で移動可能に支持されるミラー保持部材とを備え、前記ミラー保持部材は、基板部と、前記基板部から起立され前記ダイクロイックミラーまたは前記反射ミラーが取着される起立片部と、前記基板部の互いに間隔をおいた２箇所から前記起立片部と反対方向にそれぞれ突設された２つの係合片部とを備え、前記ベースに、前記基板部が前記ベースに取り付けられた状態で前記２つの係合片部を前記ベースの裏面から突出させる係合片部用孔が、前記ミラー保持部材が前記ベースの表面上で移動できる大きさで設けられ、前記係合片部用孔を通して前記裏面から突出する前記２つの係合片部の箇所に、前記基板部から離間するに従って互いの間隔が次第に接近する傾斜面が形成されている。
【発明の効果】
【０００５】
本発明によれば、反射ミラーを保持するミラー保持部材に設けた２つの係合片部の傾斜面を利用して反射ミラーの角度調整、位置調整を行うことができる。
そのため、照明範囲の調整を簡単かつ確実に行うことができ、作業の簡素化を図り、生産性の向上を図る上で有利となる。
【発明を実施するための最良の形態】
【０００６】
次に、本発明の実施の形態について図面を参照して説明する。
図１は本実施の形態のプロジェクター装置１０の構成を示す説明図、図２はベース２４に組み付けられた第１、第２反射ミラー３０、３２の側面図、図３は図２のＡ矢視図である。
プロジェクター装置１０は、図１に示すように、光源１２と、分離部１４と、第１、第２、第３偏光ビームスプリッタ１６Ｒ、１６Ｇ、１６Ｂと、第１、第２、第３反射型空間変調器１８Ｒ、１８Ｇ、１８Ｂとを含んで構成されている。さらに、プロジェクター装置１０は、光合成部２０と、投射レンズ２２とを含んでいる。
プロジェクター装置１０はフレーム２３を有し、フレーム２３上に、分離部１４と、第１、第２、第３偏光ビームスプリッタ１６Ｒ、１６Ｇ、１６Ｂと、第１、第２、第３反射型空間変調器１８Ｒ、１８Ｇ、１８Ｂと、光合成部２０とが組み付けられている。
【０００７】
（光源１２）
光源１２は、白色光を出射するランプを備えている。
ランプとしては白色光を出射するウルトラハイプレッシャーランプなど、従来公知のさまざまなランプが用いられる。
ランプ１２Ａの前方には、ランプ１２Ａからの光から紫外線および赤外線を除去するＵＶ−ＩＲカットフィルター、ランプ１２Ａからの光の偏光方向を一方向に揃える偏光変換素子などの光学部材１２Ｂが設けられている。
【０００８】
（分離部１４）
分離部１４は、光源１２からの光を互いに異なる３つの波長の光、すなわち、赤色、緑色、青色の光に分離して第１、第２、第３偏光ビームスプリッタ１６Ｒ、１６Ｇ、１６Ｂに導くものである。
本実施の形態では、分離部１４は、ベース２４と、第１、第２ダイクロイックミラー２６、２８と、第１、第２反射ミラー３０、３２と、ミラー保持部材３４とを備えている。
図２、図３に示すように、ベース２４は板状を呈し、厚さ方向の一方の面が表面２４０２とされ、他方の面が裏面２４０４とされる。本実施の形態では、ベース２４はフレーム２３で構成されている。
【０００９】
第１、第２ダイクロイックミラー２６、２８は、光源１２からの光を互いに異なる２つの波長帯域に分離する光分離手段をそれぞれ構成している。
第１ダイクロイックミラー２６は、光源１２から導かれた光から赤色の波長領域の光Ｒと、緑色Ｇおよび青色Ｂの波長領域の光とを分離するものである。
第１反射ミラー３０は、第１ダイクロイックミラー２６で分離された赤色の波長領域の光Ｒを反射して第１偏光ビームスプリッタ１６Ｒに導くものである。
第２反射ミラー３２は、第１ダイクロイックミラー２６で分離された緑色および青色の波長領域の光を反射するものである。
第２ダイクロイックミラー２８は、第２反射ミラー３２で反射された緑色および青色の波長領域の光のうち緑色の波長領域の光Ｇのみ反射して第２偏光ビームスプリッタ１６Ｇに導くと共に、青色の波長領域の光Ｂを透過させて第３偏光ビームスプリッタ１６Ｂに導くものである。
なお、分離部１４は光源１２からの光を赤色、緑色、青色の光に分離できればよいのであり、上述の構成に限定されるものではなく、従来公知のさまざまな構成が採用可能である。
【００１０】
（ミラー保持部材３４）
本実施の形態では、図１に示すように、ミラー保持部材３４は、第１反射ミラー３０保持用と、第２反射ミラー３２保持用として２つ設けられている。
図２、図３に示すように、各ミラー保持部材３４は、ベース２４の表面２４０２上で第１、第２反射ミラー３０、３２をそれぞれ保持し、ベース２４の厚さ方向と直交する軸線Ｌ回りに回転可能にかつベース２４の表面２４０２上で移動可能に支持されている。
図４はミラー保持部材３４の平面図、図５は第１、第２反射ミラー３０、３２が取着されたミラー保持部材３４の側面図である。
図４、図５に示すように、ミラー保持部材３４は、基板部３６と、起立片部３８と、２つの係合片部４０とを備えている。
【００１１】
図４に示すように、基板部３６は、幅と、幅よりも小さい寸法の長さを有し、幅方向の中間に長さ方向に延在する長孔３６０２が貫通形成されている。
また、基板部３６には、幅方向において長孔３６０２を挟む２箇所に長孔３６０２と等間隔をおいて後述するねじＮ（図１）が挿通される２つのねじ挿通孔３６０４が貫通形成されている。
なお、ねじ挿通孔３６０４は、該螺子挿通孔３６０４にねじＮが挿通された状態で、ミラー保持部材３４をベース２４の表面２４０２上で移動できる大きさで設けられている。
また、図５に示すように、長孔３６０２の周囲には、基板部３６の厚さ方向の一方に（起立片部３８と反対側に）膨出する環状の当て付け面３６１０が形成されている。
【００１２】
図２、図３に示すように、起立片部３８は、基板部３６から起立され第１、第２反射ミラー３０、３２が取着されるものである。
本実施の形態では、起立片部３８は、基板部３６の長さ方向の一辺で、該一辺の両端寄りの箇所と、一辺の中間箇所との３箇所から起立されている。
【００１３】
２つの係合片部４０は、基板部３６の互いに間隔をおいた２箇所から起立片部３８と反対方向にそれぞれ突設されている。
より詳細には、２つの係合片部４０は、基板部３６の箇所で、起立片部３８に、起立片部３８が起立する方向と直交する方向である第１、第２反射ミラー３０、３２の幅方向の両端に設けられている。
図２に示すように、ベース２４に、基板部３６がベース２４に取り付けられた状態で２つの係合片部４０をベース２４の表面２４０２と反対の裏面２４０４から突出させる係合片部用孔２４１０が、ミラー保持部材３４をベース２４の表面２４０２上で移動できる大きさで設けられている。
そして、係合片部用孔２４１０を通して裏面２４０４から突出する２つの係合片部４０の箇所に、基板部３６から離間するに従って互いの間隔が次第に接近する傾斜面４００２が形成されている。
【００１４】
また、図２、図３に示すように、ベース２４からピン４２が突設され、ピン４２が長孔３６０２に挿通されることでミラー保持部材３６は、ピン４２を中心として軸線Ｌ回りに回転可能に支持される。
また、基板部３６の２つのねじ挿通孔３６０４に対応するベース２４の箇所には、それぞれ図示しないねじ孔が形成されている。そして、図１に示すように、２つのねじＮが２つのねじ挿通孔３６０４を挿通して前記ねじ孔に螺合することでミラー保持部材３４がベース２４に固定される。
【００１５】
（反射型空間変調器１８Ｒ、１８Ｇ、１８Ｂ）
第１、第２、第３反射型空間変調器１８Ｒ、１８Ｇ、１８Ｂは、第１、第２、第３偏光ビームスプリッタ１６Ｒ、１６Ｇ、１６Ｂ毎に設けられ各偏光ビームスプリッタ１６Ｒ、１６Ｇ、１６Ｂにより反射された光を画像情報によって変調して反射しそれら偏光ビームスプリッタ１６Ｒ、１６Ｇ、１６Ｂを透過させるものである。
詳細に説明すると、第１、第２、第３反射型空間変調器１８Ｒ、１８Ｇ、１８Ｂは、赤色、緑色、青色の３色の画像情報をそれぞれ表示するものであり、入射光に対応した色の映像信号が印加され、映像信号に従い、入射光の偏光方向を９０度回転させて変調出力するものである。言い換えると、入射光をＳ偏光からＰ偏光に変換して変調出力するものである。
本実施の形態では、第１、第２、第３反射型空間変調器１８Ｒ、１８Ｇ、１８Ｂは、反射型液晶パネルで構成されている。
【００１６】
（第１、第２、第３偏光ビームスプリッタ１６Ｒ、１６Ｇ、１６Ｂ）
第１、第２、第３偏光ビームスプリッタ１６Ｒ、１６Ｇ、１６Ｂは、分離部１４から導かれる光Ｒ、Ｇ、Ｂ毎に設けられそれら光Ｒ、Ｇ、Ｂが個別に入射されるものである。
第１、第２、第３偏光ビームスプリッタ１６Ｒ、１６Ｇ、１６Ｂは、それぞれ第１、第２、第３偏光膜１７Ｒ、１７Ｇ、１７Ｂを有している。
本実施の形態では、各偏光ビームスプリッタは、２つのプリズムと、それら２つのプリズムの間に設けられた偏光膜とによって構成されている。
各偏光膜１７Ｒ、１７Ｇ、１７Ｂは、例えば、Ｓ偏光の光を反射し、かつ、Ｐ偏光の光を透過するように構成されている。
したがって、分離部１４から導かれた赤色の光Ｒは、第１偏光膜１７Ｒで反射されて第１反射型空間変調器１８Ｒに導かれて変調されると共に偏光方向が９０度回転されたＰ偏光となり、その状態で第１偏光膜１７Ｒを透過し、光合成部２０に導かれる。
分離部１４から導かれた緑色の光Ｇは、第２偏光膜１７Ｇで反射されて第２反射型空間変調器１８Ｇに導かれて変調されると共に偏光方向が９０度回転されたＰ偏光となり、その状態で第２偏光膜１７Ｇを透過し、光合成部２０に導かれる。
分離部１４から導かれた青色の光Ｂは、第３偏光膜１７Ｂで反射されて第３反射型空間変調器１８Ｂに導かれて変調されると共に偏光方向が９０度回転されたＰ偏光となり、その状態で第３偏光膜１７Ｂを透過し、光合成部２０に導かれる。
なお、図１において符号１９Ｒ、１９Ｇ、１９Ｂは、分離部１４から出射されたＲ、Ｇ、Ｂの光を第１、第２、第３偏光ビームスプリッタ１６Ｒ、１６Ｇ、１６Ｂに導くレンズを示す。
【００１７】
（光合成部２０）
光合成部２０は、第１、第２、第３偏光ビームスプリッタ１６Ｒ、１６Ｇ、１６Ｂから透過される光Ｒ、Ｇ、Ｂを合成して出射し、投射レンズ２２に導くものである。
本実施の形態では、光合成部２０はクロスダイクロイックプリズムで構成されているが、光合成部２０は、クロスダイクロイックミラーなど従来公知のさまざまな構成が採用可能である。
投射レンズ２２は、光合成部２０から導かれた光をスクリーン２に照射することにより、スクリーン２に画像を形成するものである。
【００１８】
（調整方法）
次にミラー保持部材３４を用いた照明範囲の調整について説明する。
図６はミラー保持部材３４を用いた照明範囲の調整動作の説明図、図７（Ａ）はチャック部５２の正面図、（Ｂ）は（Ａ）のＢ矢視図、図８（Ａ）、（Ｂ）はチャック部５２と係合片部４０との係合動作の説明図、図９（Ａ）、（Ｂ）はチャック部５２と係合片部４０との係合動作の説明図である。
【００１９】
図６に示すように、本実施の形態では、照明範囲の調整を行うに際して、調整治具５０を用いる。なお、図６では、説明をわかりやすくするため、ベース２４の下方に配置され、ベース２４で隠される調整治具５０およびチャック部５２などを実線で描いている。また、光源１２と、第１、第２、第３偏光ビームスプリッタ１６Ｒ、１６Ｇ、１６Ｂと、第１、第２、第３反射型空間変調器１８Ｒ、１８Ｇ、１８Ｂと、光合成部２０と、投射レンズ２２の図示を省略している。
調整治具５０は２つのチャック部５２を有している。
チャック部５２は、図７（Ａ）、（Ｂ）に示すように、係合片部４０と係脱する係合凹部５２０２を有し、係合凹部５２０２は、係合片部４０の２つの傾斜面４００２と同一の傾斜を有する２つの傾斜面５２１０を有している。
調整治具５０は、図８（Ａ）、（Ｂ）に示すように、２つのチャック部５２を２つの係合片部４０に接離する方向（Ｚ方向）に移動可能に構成されている。
また、調整治具５０は、図６に示すように、２つのチャック部５２が２つの係合片部４０に係合した状態で、ピン４２を中心とした円周方向（θ方向）に揺動可能で、かつ、長孔３６０２の長手方向（Ｘ方向）に移動可能に構成されている。
【００２０】
次に調整動作について説明する。
予め、図１に示すように、フレーム２３上に、分離部１４、第１、第２、第３偏光ビームスプリッタ１６Ｒ、１６Ｇ、１６Ｂ、第１、第２、第３反射型空間変調器１８Ｒ、１８Ｇ、１８Ｂ、光合成部２０が組み付けられているものとする。
光源１２を動作させ、光源１２の光を分離部１４に照射する。
この際、第１、第２、第３反射型空間変調器１８Ｒ、１８Ｇ、１８Ｂは、スクリーン上に一様な白色の画面が表示されるように設定される。
図７（Ａ）、（Ｂ）に示すように、ベース２４の裏面２４０４から、第１、第２反射ミラー３０、３２のミラー保持部材３４の２つの係合片部４０にチャック部５２を臨ませる。次いで、チャック部５２を係合片部４０に近接させることにより、係合片部４０に係合凹部５２０２を係合させる。
この際、図８（Ａ）に示すように、係合片部４０と、チャック部５２の係合凹部５２０２との位置が多少ずれていても、係合片部４０の傾斜面４００２が係合凹部５２０２の傾斜面５２１０にガイドされることにより、係合片部４０とチャック部５２は確実に係合される。
次いで、スクリーン上の白色画の有効画面内が均一な白色となるように、調整治具５０を用いてミラー保持部材３４すなわち第１、第２反射ミラー３０、３２をθ方向およびＸ方向に移動させる。
以上の動作により、分離部１４によって分離されたＲ、Ｇ、Ｂの光が反射型空間変調器１８Ｒ、１８Ｇ、１８Ｂを均一に照射するように第１、第２反射ミラー３０、３２の角度、位置が調整され、したがって、プロジェクター装置１０の照明範囲の調整がなされる。
照明範囲の調整がなされたならば、ねじＮ（図１）によりミラー保持部材３４をベース２４に固定する。
なお、スクリーン上に投影される画像の色は、白色に限定されるものではなく、Ｒ、Ｇ、Ｂのそれぞれの単色として調整を行ってもよい。
【００２１】
以上説明したように本実施の形態によれば、ミラー保持部材３４に設けた２つの係合片部４０の傾斜面４００２を、調整治具５０の傾斜面５２１０に係合させ、調整治具５０を移動することにより第１、第２反射ミラー３０、３２の角度調整、位置調整を行うことができる。
そして、調整治具５０の移動は、手動で行ってもよく、あるいは、機械的に自動的に行ってもよい。
したがって、本実施の形態によれば、第１、第２反射ミラー３０、３２を保持するミラー保持部材３４に設けた２つの係合片部４０の傾斜面４００２を利用して第１、第２反射ミラー３０、３２の角度調整、位置調整を行うことができる。
そのため、照明範囲の調整を簡単かつ確実に行うことができ、作業の簡素化を図り、生産性の向上を図る上で有利となる。
【００２２】
なお、本実施の形態では、光分離部１４の光分離手段が第１、第２ダイクロイックミラー２６、２８で構成されている場合について説明したが、光分離手段としてダイクロイックプリズムを用いてもよい。すなわち、分離部１４は光源１２からの光を赤色、緑色、青色の光に分離できればよく、従来公知のさまざまな構成が採用可能である。
【００２３】
また、本実施の形態では、分離部１４が、第１、第２反射ミラー３０、３２をミラー保持部材３４で保持する構成である場合について説明したが、次のような構成であっても本発明は適用可能である。
すなわち、前記分離部は、板状のベースと、前記光を互いに異なる２つの波長帯域に分離する複数のダイクロイックミラーと、前記分離された光を反射する複数の反射ミラーと、前記ベースの表面上で前記複数のダイクロイックミラーおよび前記複数の反射ミラーのうちの少なくとも１つを保持するミラー保持部材とを備えている。
前記ミラー保持部材は、前記ベースの厚さ方向と直交する軸線回りに回転可能にかつ前記ベースの表面上で移動可能に支持されている。
前記ミラー保持部材は、基板部と、前記基板部から起立され前記ダイクロイックミラーまたは前記反射ミラーが取着される起立片部と、前記基板部の互いに間隔をおいた２箇所から前記起立片部と反対方向にそれぞれ突設された２つの係合片部とを備える。
前記ベースに、前記基板部が前記ベースに取り付けられた状態で前記２つの係合片部を前記ベースの表面と反対の裏面から突出させる係合片部用孔が、前記ミラー保持部材を前記ベースの表面上で移動できる大きさで設けられる。
前記係合片部用孔を通して前記裏面から突出する前記２つの係合片部の箇所に、前記基板部から離間するに従って互いの間隔が次第に接近する傾斜面が形成されている。
このような構成においても実施の形態と同様の効果が奏されることは無論である。
【００２４】
また、本実施の形態では、分離部１４によって分離された光のそれぞれを画像情報によって変調する３つの空間変調器として、反射型液晶パネルで構成された反射型空間変調器１８Ｒ、１８Ｇ、１８Ｂを用いる場合について説明した。
しかしながら、空間変調器は、反射型液晶パネルに限定されるものではなく、透過型液晶パネルや、多数の微小な反射ミラーを用いたＤＭＤ（Digital Micro mirror Device：デジタル・マイクロミラー・デバイス）など従来公知のさまざまな空間変調器が採用可能である。
【図面の簡単な説明】
【００２５】
【図１】本実施の形態のプロジェクター装置１０の構成を示す説明図である。
【図２】ベース２４に組み付けられた第１、第２反射ミラー３０、３２の側面図である。
【図３】図２のＡ矢視図である。
【図４】ミラー保持部材３４の平面図である。
【図５】第１、第２ミラー３０、３２が取着されたミラー保持部材３４の側面図である。
【図６】ミラー保持部材３４を用いた照明範囲の調整動作の説明図である。
【図７】（Ａ）はチャック部５２の正面図、（Ｂ）は（Ａ）のＢ矢視図である。
【図８】（Ａ）、（Ｂ）はチャック部５２と係合片部４０との係合動作の説明図である。
【図９】（Ａ）、（Ｂ）はチャック部５２と係合片部４０との係合動作の説明図である。
【符号の説明】
【００２６】
１０……プロジェクター装置、１２……光源、１４……分離部、２４……ベース、２４０２……表面、２４０４……裏面、２４１０……係合片部用孔、２６……第１ダイクロイックミラー、２８……第２ダイクロイックミラー、３０……第１反射ミラー、３２……第２反射ミラー、３４……ミラー保持部材、３６……基板部、３８……起立片部、４０……係合片部、４００２……傾斜面。
【図１】
2010091594.tif 000003
【図２】
2010091594.tif 000004
【図３】
2010091594.tif 000005
【図４】
2010091594.tif 000006
【図５】
2010091594.tif 000007
【図６】
2010091594.tif 000008
【図７】
2010091594.tif 000009
【図８】
2010091594.tif 000010
【図９】
2010091594.tif 000011